(57)【特許請求の範囲】
【請求項１】
複数のディスクを収容可能とし、前記複数のディスクのうち少なくとも１以上のディスクを含むディスクの集合をグループとし、少なくとも１つ以上の前記グループをユーザファイルとして登録可能なユーザファイル登録手段と、
各ユーザファイルにファイル名を付与するファイル名付与手段と、
ユーザファイルを再生対象にする再生モード制御手段と、
ファイル名を他のディスク再生装置に通知すると共に、他のディスク再生装置から同一のファイル名を有するか否かの情報を受信する通信制御手段と、
を備え、
前記再生モード制御手段にて再生対象とされている前記ユーザファイルの再生が終了したとき、前記通信制御手段にて受信した他のディスク再生装置からの情報に基づいて同一のファイル名を有する前記他のディスク再生装置に再生を指示する再生指示手段を有する、
ことを特徴とするディスク再生装置。
【請求項２】
複数のディスクを収容可能とし、前記複数のディスクのうち少なくとも１以上のディスクを含むディスクの集合をグループとし、少なくとも１つ以上の前記グループをユーザファイルとして登録可能なユーザファイル登録手段と、
各ユーザファイルにファイル名を付与するファイル名付与手段と、
ユーザファイルを再生対象にする再生モード制御手段と、
ファイル名を他のディスク再生装置から受信すると共に、該他のディスク再生装置に同一のファイル名を有するか否かの情報を送信する通信制御手段と、
を備え、
前記他のディスク再生装置からの再生指示に基づいて、再生を指示されたファイル名と同一のファイル名のディスクを再生する再生制御手段を有する、
ことを特徴とするディスク再生装置。
【請求項３】
複数のディスクを収容可能とし、前記複数のディスクのうち少なくとも１以上のディスクを含むディスクの集合をグループとし、少なくとも１つ以上の前記グループをユーザファイルとして登録可能なユーザファイル登録手段と、
各ユーザファイルにファイル名を付与するファイル名付与手段と、
ユーザファイルを再生対象にする再生モード制御手段と、
を備えた複数のディスク再生装置を有し、
一のディスク再生装置は、ファイル名を他のディスク再生装置に通知すると共に、他のディスク再生装置から同一のファイル名を有するか否かの情報を受信する通信制御手段を備え、
他のディスク再生装置は、ファイル名を前記一のディスク再生装置から受信すると共に、該他のディスク再生装置に同一のファイル名を有するか否かの情報を前記一のディスク再生装置に送信する通信制御手段を備え、
前記一のディスク再生装置は、当該一のディスク再生装置の前記再生モード制御手段にて再生対象とされている前記ユーザファイルの再生が終了したとき、前記通信制御手段にて受信した他のディスク再生装置からの情報に基づいて同一のファイル名を有する前記他のディスク再生装置に再生を指示し、
前記他のディスク再生装置は、前記一のディスク再生装置からの再生指示に基づいて、再生を指示されたファイル名と同一のファイル名のディスクを再生する、
ことを特徴とするディスク再生システム。
【請求項４】
収容された複数の楽曲のうち少なくとも１以上の楽曲を含む楽曲の集合をグループとし、少なくとも１つ以上の前記グループをユーザファイルとして登録可能なユーザファイル登録手段と、
各ユーザファイルにファイル名を付与するファイル名付与手段と、
ユーザファイルを再生対象にする再生モード制御手段と、
ファイル名を他の楽曲再生装置に通知すると共に、他の楽曲再生装置から同一のファイル名を有するか否かの情報を受信する通信制御手段と、
を備え、
前記再生モード制御手段にて再生対象とされている前記ユーザファイルの再生が終了したとき、前記通信制御手段にて受信した他の楽曲再生装置からの情報に基づいて同一のファイル名を有する前記他の楽曲再生装置に再生を指示する再生指示手段を有する、
ことを特徴とする楽曲再生装置。
【請求項５】
複数の楽曲を収容可能とし、前記複数の楽曲のうち少なくとも１以上の楽曲を含む楽曲の集合をグループとし、少なくとも１つ以上の前記グループをユーザファイルとして登録可能なユーザファイル登録手段と、
各ユーザファイルにファイル名を付与するファイル名付与手段と、
ユーザファイルを再生対象にする再生モード制御手段と、
ファイル名を他の楽曲再生装置から受信すると共に、該他の楽曲再生装置に同一のファイル名を有するか否かの情報を送信する通信制御手段と、
を備え、
前記他の楽曲再生装置からの再生指示に基づいて、再生を指示されたファイル名と同一のファイル名の楽曲を再生する再生制御手段を有する、
ことを特徴とする楽曲再生装置。
【請求項６】
前記楽曲はハードディスクにデータとして記憶されたものであることを特徴とする請求項４乃至５に記載の楽曲再生装置。
【請求項７】
複数の楽曲を収容可能とし、前記複数の楽曲のうち少なくとも１以上の楽曲を含む楽曲の集合をグループとし、少なくとも１つ以上の前記グループをユーザファイルとして登録可能なユーザファイル登録手段と、
各ユーザファイルにファイル名を付与するファイル名付与手段と、
ユーザファイルを再生対象にする再生モード制御手段と、
を備えた複数の楽曲再生装置を有し、
一の楽曲再生装置は、ファイル名を他の楽曲再生装置に通知すると共に、他の楽曲再生装置から同一のファイル名を有するか否かの情報を受信する通信制御手段を備え、
他の楽曲再生装置は、ファイル名を前記一の楽曲再生装置から受信すると共に、該他の楽曲再生装置に同一のファイル名を有するか否かの情報を前記一の楽曲再生装置に送信する通信制御手段を備え、
前記一の楽曲再生装置は、当該一の楽曲再生装置の前記再生モード制御手段にて再生対象とされている前記ユーザファイルの再生が終了したとき、前記通信制御手段にて受信した他の楽曲再生装置からの情報に基づいて同一のファイル名を有する前記他の楽曲再生装置に再生を指示し、
前記他の楽曲再生装置は、前記一の楽曲再生装置からの再生指示に基づいて、再生を指示されたファイル名と同一のファイル名の楽曲を再生する、
ことを特徴とする楽曲再生システム。
【発明の詳細な説明】
【０００１】
【発明の属する技術分野】
本発明は、ディスク再生装置、ディスク再生システム、楽曲再生装置、及び楽曲再生システムに関する。
【０００２】
【従来の技術】
従来より、多数枚のディスクを収納し、任意のディスクの再生を行うディスクチェンジャーが知られている。図４及び図５は、このようなディスクチェンジャーがデイジー・チェーンで複数（３台）接続されたシステム構成を示す図であり、図４はその前面図、図５はその背面図である。図４及び図５において、最上位のディスクチェンジャーがマスター（１０）として、他の複数のディスクチェンジャーがスレーブ（２０）として、コマンドやデータの送受信が行われている。尚、ディスクチェンジャー間の通信方法としては、３線シリアル、ＵＡＲＴ（Universal Asynchronous Receiver Transmitter）、ＩＥＢｕｓ（登録商標）などが用いられている。
【０００３】
ところで、ディスクの再生プログラムの一つにユーザファイルモードというものがある。これは、ディスクが登録されている複数のユーザファイルの中から、ユーザによって指定されたユーザファイルの再生を行うものである。更に、各々のユーザファイルが識別し易いようにして、ユーザファイルにファイル名を付加することも可能である。
【０００４】
ここで、例えば、図４及び図５が示すように、複数のディスクチェンジャーにまたがってユーザファイルモードで再生する場合、マスター１０でユーザファイル１の再生が指定されると、スレーブ２０においてもユーザファイル１の再生モードとなり、マスター１０によるディスクの再生が終わると、スレーブ２０のユーザファイル１の再生へと移行していく。
【０００５】
【発明が解決しようとする課題】
しかしながら、例えば、マスター１０のユーザファイル１に「Ｆａｔｈｅｒ」というファイル名が付いていて、スレーブ２０のユーザファイル１には「Ｍｏｔｈｅｒ」、スレーブ２０のユーザファイル２に「Ｆａｔｈｅｒ」というファイル名が付いている場合、マスター１０でユーザファイル１（Ｆａｔｈｅｒ）が指定されると、スレーブ２０によるディスクの再生に移行した際に、ユーザファイル１（Ｍｏｔｈｅｒ）の再生になってしまう。即ち、スレーブ２では、「Ｆａｔｈｅｒ」のユーザファイルが再生されないことになる。
【０００６】
つまり、ユーザファイルのファイルナンバーとファイル名との組み合わせがマディスクチェンジャー間で同じでないと、複数のディスクチェンジャーにまたがって同じファイル名のユーザファイルの再生を行うためには、ユーザは、その都度、ユーザファイルの再生順を変更する必要が有った。
【０００７】
本発明の課題は、複数の再生機器にまたがっても、ユーザファイルの再生を快適に行うことができる、ディスク再生装置、ディスク再生システム、楽曲再生装置、及び楽曲再生システムを提供することである。
【０００８】
【課題を解決するための手段】
以上の課題を解決するため、請求項１記載のディスク再生装置は、
複数のディスクを収容可能とし、前記複数のディスクのうち少なくとも１以上のディスクを含むディスクの集合をグループとし、少なくとも１つ以上の前記グループをユーザファイルとして登録可能なユーザファイル登録手段と、
各ユーザファイルにファイル名を付与するファイル名付与手段と、
ユーザファイルを再生対象にする再生モード制御手段と、
ファイル名を他のディスク再生装置に通知すると共に、他のディスク再生装置から同一のファイル名を有するか否かの情報を受信する通信制御手段と、
を備え、
前記再生モード制御手段にて再生対象とされている前記ユーザファイルの再生が終了したとき、前記通信制御手段にて受信した他のディスク再生装置からの情報に基づいて同一のファイル名を有する前記他のディスク再生装置に再生を指示する再生指示手段を有する、
ことを特徴としている。
【０００９】
請求項２記載のディスク再生装置は、
複数のディスクを収容可能とし、前記複数のディスクのうち少なくとも１以上のディスクを含むディスクの集合をグループとし、少なくとも１つ以上の前記グループをユーザファイルとして登録可能なユーザファイル登録手段と、
各ユーザファイルにファイル名を付与するファイル名付与手段と、
ユーザファイルを再生対象にする再生モード制御手段と、
ファイル名を他のディスク再生装置から受信すると共に、該他のディスク再生装置に同一のファイル名を有するか否かの情報を送信する通信制御手段と、
を備え、
前記他のディスク再生装置からの再生指示に基づいて、再生を指示されたファイル名と同一のファイル名のディスクを再生する再生制御手段を有する、
ことを特徴としている。
【００１０】
請求項３記載のディスク再生システムは、
複数のディスクを収容可能とし、前記複数のディスクのうち少なくとも１以上のディスクを含むディスクの集合をグループとし、少なくとも１つ以上の前記グループをユーザファイルとして登録可能なユーザファイル登録手段と、
各ユーザファイルにファイル名を付与するファイル名付与手段と、
ユーザファイルを再生対象にする再生モード制御手段と、
を備えた複数のディスク再生装置を有し、
一のディスク再生装置は、ファイル名を他のディスク再生装置に通知すると共に、他のディスク再生装置から同一のファイル名を有するか否かの情報を受信する通信制御手段を備え、
他のディスク再生装置は、ファイル名を前記一のディスク再生装置から受信すると共に、該他のディスク再生装置に同一のファイル名を有するか否かの情報を前記一のディスク再生装置に送信する通信制御手段を備え、
前記一のディスク再生装置は、当該一のディスク再生装置の前記再生モード制御手段にて再生対象とされている前記ユーザファイルの再生が終了したとき、前記通信制御手段にて受信した他のディスク再生装置からの情報に基づいて同一のファイル名を有する前記他のディスク再生装置に再生を指示し、
前記他のディスク再生装置は、前記一のディスク再生装置からの再生指示に基づいて、再生を指示されたファイル名と同一のファイル名のディスクを再生する、
ことを特徴としている。
【００１１】
請求項４記載の楽曲再生装置は、
収容された複数の楽曲のうち少なくとも１以上の楽曲を含む楽曲の集合をグループとし、少なくとも１つ以上の前記グループをユーザファイルとして登録可能なユーザファイル登録手段と、
各ユーザファイルにファイル名を付与するファイル名付与手段と、
ユーザファイルを再生対象にする再生モード制御手段と、
ファイル名を他の楽曲再生装置に通知すると共に、他の楽曲再生装置から同一のファイル名を有するか否かの情報を受信する通信制御手段と、
を備え、
前記再生モード制御手段にて再生対象とされている前記ユーザファイルの再生が終了したとき、前記通信制御手段にて受信した他の楽曲再生装置からの情報に基づいて同一のファイル名を有する前記他の楽曲再生装置に再生を指示する再生指示手段を有する、
ことを特徴としている。
【００１２】
請求項５記載の楽曲再生装置は、
複数の楽曲を収容可能とし、前記複数の楽曲のうち少なくとも１以上の楽曲を含む楽曲の集合をグループとし、少なくとも１つ以上の前記グループをユーザファイルとして登録可能なユーザファイル登録手段と、
各ユーザファイルにファイル名を付与するファイル名付与手段と、
ユーザファイルを再生対象にする再生モード制御手段と、
ファイル名を他の楽曲再生装置から受信すると共に、該他の楽曲再生装置に同一のファイル名を有するか否かの情報を送信する通信制御手段と、
を備え、
前記他の楽曲再生装置からの再生指示に基づいて、再生を指示されたファイル名と同一のファイル名の楽曲を再生する再生制御手段を有する、
ことを特徴としている。
【００１３】
請求項６記載の楽曲再生装置は、請求項４乃至５に記載の発明において、
前記楽曲はハードディスクにデータとして記憶されたものであることを特徴としている。
【００１４】
請求項７記載の楽曲再生システムは、
複数の楽曲を収容可能とし、前記複数の楽曲のうち少なくとも１以上の楽曲を含む楽曲の集合をグループとし、少なくとも１つ以上の前記グループをユーザファイルとして登録可能なユーザファイル登録手段と、
各ユーザファイルにファイル名を付与するファイル名付与手段と、
ユーザファイルを再生対象にする再生モード制御手段と、
を備えた複数の楽曲再生装置を有し、
一の楽曲再生装置は、ファイル名を他の楽曲再生装置に通知すると共に、他の楽曲再生装置から同一のファイル名を有するか否かの情報を受信する通信制御手段を備え、
他の楽曲再生装置は、ファイル名を前記一の楽曲再生装置から受信すると共に、該他の楽曲再生装置に同一のファイル名を有するか否かの情報を前記一の楽曲再生装置に送信する通信制御手段を備え、
前記一の楽曲再生装置は、当該一の楽曲再生装置の前記再生モード制御手段にて再生対象とされている前記ユーザファイルの再生が終了したとき、前記通信制御手段にて受信した他の楽曲再生装置からの情報に基づいて同一のファイル名を有する前記他の楽曲再生装置に再生を指示し、
前記他の楽曲再生装置は、前記一の楽曲再生装置からの再生指示に基づいて、再生を指示されたファイル名と同一のファイル名の楽曲を再生する、
ことを特徴としている。
【００１５】
【発明の実施の形態】
以下、本発明を適用した実施の形態について、図面を参照して詳細に説明する。
【００１６】
先ず、構成を説明する。
本実施の形態におけるディスク再生システムの全体構成は、従来と同様に、複数のディスクチェンジャー（マスター１０とスレーブ２０）と、これらの間でコマンドやデータの送受信が可能になるようにデイジー・チェーンで接続するケーブルと、を備えて構成される（図４及び図５参照）。
【００１７】
図１は、マスター１０の要部構成を示すブロック図である。図１に示すように、マスター１０は、制御部１１、メモリ１２、入力部１３、表示部１４、収納部１５、再生部１６、通信部１７、を備えて構成される。これらは何れもバスにより接続されている。
【００１８】
制御部１１は、制御用のプログラムやデータをメモリ１２から読み出して実行すると共に、入力部１３からの入力信号に基づいて、メモリ１２から各種アプリケーションプログラムを読み出して実行する。
【００１９】
メモリ１２は、本発明に係るディスク再生システムに対応する各種プログラムやデータ等を格納する。また、メモリ１２は、これらの各種プログラムを展開すると共に、プログラムの実行に伴う各種データを一時的に格納するワークエリアを形成する。
【００２０】
入力部１３は、ディスクの挿抜や再生を指示するための各種操作キーを備えており、ユーザの操作に応じた信号を制御部１１に出力することによって、ユーザの意向を制御部１１の動作に反映させる。例えば、入力部１３は、文字が割り当てられたテンキーを備え、ユーザは入力部１３を操作することによってファイル名を入力することができる。
【００２１】
表示部１４は、ＬＣＤ（Liquid Crystal Display）等の表示画面を備えており、制御部１１から入力される表示情報の表示を行う。例えば、表示部１４は、制御部１１からの制御信号に基づいて、ユーザファイルのファイル名などの表示を行う。
【００２２】
収納部１５は、複数枚のディスクを収納可能なストッカーと、制御部１１から入力される制御信号に応じて、ストッカーと再生部１６との間でディスクを搬送する搬送部と、を備えて構成される。
【００２３】
尚、ここで収納されるディスクの枚数は特に限定されるものではなく、収納可能なディスクの枚数は任意である。
【００２４】
再生部１６は、ＤＳＰ（Digital Signal Processor）、ピックアップ、ＲＦ（Radio Frequency）アンプ、サーボ、ＤＡＣ（Digital Analog Converter）等を備え、制御部１１から入力される制御信号に基づいて、ディスクの再生に係る処理を行う。
【００２５】
通信部１７は、ケーブルに接続されたディスクチェンジャーとの間で各種データやコマンドの送受信を行う。
【００２６】
尚、図１はマスター１０に特有な機能を実現するための構成要素を示すものであり、マスター１０が周知の一般的なディスクチェンジャーとしての機能を実現するために必要な構成要素の図示は省略している。また、マスター１０の各構成要素の特徴的な機能について説明してきたが、各々の構成要素が備えるべき周知の機能や手段を有しているのは勿論である。
【００２７】
更に、本発明を特定するために必要なスレーブ２０の構成については、前述のマスター１０とはメモリに記憶される処理プログラムが異なるのみで、それらの要部構成は略同一であるため、その説明は省略する。
【００２８】
次に、動作を説明する。
図２は、ユーザファイルモードにおける、マスター１０の処理を示すフローチャートである。
【００２９】
先ず、制御部１１は、ユーザによる入力部１３の入力により、ユーザファイルモードでの再生が設定されたか否かを判別する（ステップＳ１）。
【００３０】
ユーザファイルモードでの再生が設定されると（ステップＳ１；Ｙ）、制御部１１は、ユーザによる入力部１３の入力により、指定されたユーザファイルにファイル名が付いているか否かを判別する（ステップＳ２）。
【００３１】
ステップＳ２の判別の結果、ユーザにより指定されたユーザファイルにファイル名が付いている場合（ステップＳ２；Ｙ）、制御部１１は、スレーブ２０に対して、ユーザファイルモードになったことと、ユーザにより指定されたユーザファイルのファイル名を通知するように制御する（ステップＳ３）。
【００３２】
ステップＳ２の判別の結果、ユーザにより指定されたユーザファイルにファイル名が付いていない場合は（ステップＳ２；Ｎ）、制御部１１は、スレーブ２０に対して、ユーザファイルモードになったことと、ユーザにより指定されたユーザファイルのファイルナンバーを通知するように制御する（ステップＳ４）。
【００３３】
ステップＳ３、又はステップＳ４の処理が完了すると、制御部１１は、ユーザファイルの再生を開始するように制御する（ステップＳ５）。
【００３４】
図３は、本発明に係るディスク再生システムの動作シーケンスを示す図である。尚、各ディスクチェンジャーは電源がＯＮになっており、相互にデータやコマンドの送受信が行うことができる状態にあるものとする。
【００３５】
先ず、マスター１０において、ユーザファイルモードでの再生が設定されると、マスター１０はユーザにより指定されたユーザファイルのファイルナンバーやファイル名などのタイプをスレーブ２０に通知する（ステップＳ１１）。
【００３６】
スレーブ２０は、自身が持つユーザファイルの中に、マスター１０から通知されたファイル名のユーザファイルが有るか否かを検索する（ステップＳ１２）。
【００３７】
マスター１０は、ユーザにより指定されたユーザファイルの再生を開始する（ステップＳ１３）。
【００３８】
スレーブ２０は、ステップＳ１２の検索の結果、つまり、マスター１０でユーザにより指定されたユーザファイルと同じファイル名のユーザファイルの有無をマスター１０に送信する（ステップＳ１４）。尚、ここで、該当ユーザファイルにディスクの登録が有るか否かの通知を同時に行っても良い。
【００３９】
マスター１０において、ユーザにより指定されたユーザファイルに登録されている全ディスクの再生が終了すると（ステップＳ１５）、ステップＳ１４の検索の結果、マスター１０でユーザに指定されたユーザファイルと同じファイル名のユーザファイルが有ると送信してきた、若しくは、同じユーザファイル名が有り、尚且つディスクの登録が有ると送信してきたスレーブ２０に対して、マスター１０はディスクの再生開始の要求命令を送信する（ステップＳ１６）。前述の要求命令を受信したスレーブ２０は、マスター１０で再生されていたユーザファイルと同じファイル名のユーザファイルの再生を開始する。尚、各スレーブ２０は、マスター１０がファイルタイプの通知を受けた時点で、同じファイル名が有り、ディスクの登録が有る場合には、該当ファイルの再生準備を行うようにしても良い。
【００４０】
以上説明したように、本実施の形態のディスク再生システムによれば、ユーザファイルモードでリレー再生を行う際に、マスター１０において指定されたユーザファイルと同じファイル名のユーザファイルを備えるスレーブ２０をサーチして、マスター１０によるディスクの再生が終了すると、スレーブ２０により、そのユーザファイルの再生を行うように制御する。従って、ユーザはディスクチェンジャー毎にユーザファイルの再生順を変更するという面倒な手間を省くことができて、利便性が向上することになる。その結果、ユーザは、複数のディスチェンジャーにまたがっても、ユーザファイルの再生を快適に行うことができる。
【００４１】
尚、本実施の形態における記述内容は、本発明に係るディスク再生システムの好適な一例であり、これに限定されるものではない。
【００４２】
例えば、図４及び図５において、ディスクチェンジャー間を有線接続として図示しているが、無線接続であっても、本発明を実現することが可能である。
【００４３】
また、本実施の形態では、ディスクについて特定しなかったが、ＣＤ（Compact Disc）やＤＶＤ（Digital Versatile Disc）を適用しても、本発明を実現することが可能である。
【００４４】
更に、本実施の形態では、再生の対象となるデータの形式について触れなかったが、ＭＰ３（MPEG-1 Audio Layer III）などの圧縮ファイルを再生の対象としても、本発明を実現することができる。
【００４５】
その他、本実施の形態におけるディスク再生システムの細部構成、詳細動作に関しても本発明の趣旨を逸脱することのない範囲において、適宜変更可能である。
【００４６】
上述の実施の形態では、ディスクを再生単位とするディスク再生システムについて説明したが、これに限定されるものではない。例えば、前述のユーザファイルに登録される単位としては、各楽曲毎でも勿論構わない。また、この楽曲はＨＤＤ（ハードディスクドライブ）に記録された情報としての楽曲でも良く、更に複数の楽曲をして１つの楽曲と扱っても良い。また、この楽曲はＨＤＤへの記録時に圧縮されて記録されるようにしても良く、この場合、前述にも有るように、ＭＰ３、更には、ＷＭＡ、ＡＡＣ、ＡＴＲＡＣといったように、どのような圧縮方式であっても良い。
【００４７】
【発明の効果】
本発明によれば、複数の再生機器にまたがっても、同じファイル名のユーザファイルを再生することができる。従って、ユーザは、再生機器毎にユーザファイルの再生順を変更する手間が軽減されるので、ユーザファイルの再生を快適に行うことができる。
【図面の簡単な説明】
【図１】本発明を適用したディスク再生システムにおける、マスター１０の要部構成を示すブロック図である。
【図２】ユーザファイルモードにおける、マスター１０の処理を示すフローチャートである。
【図３】本発明を適用したディスク再生システムの動作シーケンスを示す図である。
【図４】従来のディスク再生システムの前面図である。
【図５】従来のディスク再生システムの背面図である。
【符号の説明】
１０    マスター
１１    制御部
１２    メモリ
１３    入力部
１４    表示部
１５    収納部
１６    再生部
１７    通信部
２０    スレーブ
Ｃ      ケーブル
【図１】
0003735285.tif 000002
【図２】
0003735285.tif 000003
【図３】
0003735285.tif 000004
【図４】
0003735285.tif 000005
【図５】
0003735285.tif 000006